(57)【要約】【課題】保守点検対象のエレベータでの当該保守点検作業に関わる情報を容易に得る。【解決手段】エレベータの保守点検作業の開始時に、エレベータに貼付される二次元コードを携帯電話４により読み取って得たエレベータの設置建物住所およびエレベータ号機の情報をセンタ装置５へ送信する。センタ装置５では携帯電話４からの情報をもとに同一建物内に設置されるエレベータの保守点検作業を行なっている作業員の人数を判別し、この人数を地図情報に重ね合わせてモニタ表示する。【選択図】      図２
2007137563.tif 000002
【特許請求の範囲】
【請求項１】
複数の携帯通信端末装置および遠隔監視装置を有するシステムであって、
前記携帯通信端末装置は、
監視対象の設置箇所に設けられた当該設置箇所を特定する情報を含む二次元コードを読み取る読み取り手段と、
この読み取り手段により読み取った二次元コードを復号する復号手段と、
この復号手段により復号して得た情報を送信する送信手段とを備え、
前記遠隔監視装置は、
地図情報を記憶する地図情報記憶手段と、
前記携帯通信端末装置の送信手段により送信された情報を受信する受信手段と、
この受信手段が受信した情報のうち同一の前記設置箇所を特定する情報の送信元の携帯通信端末装置の個数を判別する判別手段と、
前記受信手段により受信した設置箇所を特定する情報および前記判別手段により判別した個数の情報を前記地図情報記憶手段に記憶された地図情報とあわせて表示手段に表示させる制御を行なう表示制御手段と
を備えたことを特徴とする遠隔監視システム。
【請求項２】
地図情報を記憶する地図情報記憶手段と、
監視対象の設置箇所を特定する情報を受信する受信手段と、
この受信手段が受信した情報のうち同一の前記設置箇所を特定する情報の送信元の携帯通信端末装置の個数を判別する判別手段と、
前記受信手段により受信した設置箇所を特定する情報および前記判別手段により判別した個数の情報を前記地図情報記憶手段に記憶された地図情報とあわせて表示手段に表示させる制御を行なう表示制御手段と
を備えたことを特徴とする遠隔監視装置。
【請求項３】
前記受信手段は、携帯通信端末装置に固有の識別情報をさらに受信可能であり、
前記受信手段により受信した識別情報と前記設置箇所を特定する情報とを対応付けて記憶する管理情報記憶手段をさらに備え、
前記判別手段は、前記管理情報記憶手段に記憶された識別情報のうち同一の前記設置箇所を特定する情報と対応付けられる前記識別情報の個数を判別する
ことを特徴とする請求項２に記載の遠隔監視装置。
【請求項４】
複数の携帯通信端末装置および遠隔監視装置を有するシステムであって、
前記携帯通信端末装置は、
現在位置を検出する位置検出手段と、
この位置検出手段により検出した現在位置情報を送信する送信手段とを備え、
前記遠隔監視装置は、
地図情報を記憶する地図情報記憶手段と、
前記携帯通信端末装置の送信手段により送信された情報を受信する受信手段と、
監視対象の位置を特定する情報を記憶する位置情報記憶手段と、
この位置情報記憶手段に記憶される情報で示される監視対象の位置から予め定められた範囲内における前記受信手段により受信した現在位置情報の送信元の前記携帯通信端末装置の個数を判別する判別手段と、
前記監視対象の位置の情報および前記定められた範囲内における前記判別手段により判別した個数の情報を前記地図情報記憶手段に記憶された地図情報とあわせて表示手段に表示させる制御を行なう表示制御手段と
を備えたことを特徴とする遠隔監視システム。
【請求項５】
地図情報を記憶する地図情報記憶手段と、
監視対象の設置箇所で検出された現在位置情報を受信する受信手段と、
監視対象の設置箇所の位置を特定する情報を記憶する位置情報記憶手段と、
この位置情報記憶手段に記憶される情報で示される監視対象の位置から予め定められた範囲内における前記受信手段により受信した現在位置情報の送信元の前記携帯通信端末装置の個数を判別する判別手段と、
前記監視対象の位置の情報および前記定められた範囲内における前記判別手段により判別した個数の情報を前記地図情報記憶手段に記憶された地図情報とあわせて表示手段に表示させる制御を行なう表示制御手段と
を備えたことを特徴とする遠隔監視装置。
【請求項６】
前記受信手段は、携帯通信端末装置に固有の識別情報をさらに受信可能であり、
前記受信手段により受信した識別情報と前記現在位置情報とを対応付けて記憶する管理情報記憶手段をさらに備え、
前記判別手段は、前記管理情報記憶手段に記憶される識別情報のうち前記定められた範囲内にある現在位置情報と対応付けられる識別情報の個数を判別する
ことを特徴とする請求項５に記載の遠隔監視装置。
【発明の詳細な説明】
【技術分野】
【０００１】
本発明は、例えばエレベータなどの昇降機の保守点検に関わる情報の送受信を行なう遠隔監視システムおよび遠隔監視装置に関する。
【背景技術】
【０００２】
従来、エレベータを保守点検する作業員は一般には一日のうちに複数の現場を巡回して各現場での保守点検作業を行っている。保守点検作業はあらかじめスケジュール化されており、作業員が所定の巡回順路を所定の時間間隔で移動するように管理されているのが普通である。
【０００３】
このような管理を行なうために作業員は現場での作業開始時に監視センタに電話をかけ、氏名、作業する現場の情報およびこの現場での作業を開始する旨を伝達する。作業する現場の情報とは例えばエレベータの設置建物の住所や当該建物の名称などである。この建物の構内に複数のエレベータが設置されている場合には作業員はエレベータ号機の情報もあわせて監視センタに伝達する。
【０００４】
すると監視センタのオペレータは電話での伝達事項である作業員の氏名、保守点検作業を開始した箇所およびこの箇所で保守点検作業を開始した事を記録する。このような伝達手順および監視センタでの記録手順は保守点検作業の終了時にも行なわれ、また他の巡回先での保守点検作業の開始時および終了時にも行なわれる。
【０００５】
また、作業員の動静を監視センタ側で把握する技術として、例えば特許文献１に開示されるように、ＧＰＳ（Global Positioning System）レシーバを作業員が携帯し、このＧＰＳレシーバが得た現在位置情報を監視センタに送信する技術がある。この技術では、監視センタはＧＰＳレシーバからの現在位置情報を地図情報とあわせてモニタ表示させることで、エレベータの監視センタのオペレータが保守点検の対象のエレベータで作業中の作業員の有無をモニタ上で容易に把握できるようにする。
【特許文献１】特開平９−１０７４１０号公報
【発明の開示】
【発明が解決しようとする課題】
【０００６】
前述した技術では、監視センタはＧＰＳレシーバからの現在位置情報として例えば丸印を地図情報に重ね合わせてモニタ表示させる。そして、管理対象のエレベータからの非常呼びが監視センタ側で確認された場合には、このエレベータの設置された建物から地理的に近い場所に居る作業員のうち誰かを前述した非常呼び元のエレベータに向かわせたい場合がある。
【０００７】
この場合には、監視センタのオペレータは例えば近くの作業現場に居る作業員の人数を把握し、その数に余裕があるかどうかを確認する必要がある。しかしながら、同一の建物内にいる各作業員のＧＰＳレシーバからの位置情報を監視センタが受信した場合には、当該現在位置情報が重なってモニタ表示されてしまう。したがって、監視センタのオペレータはその作業現場に居る作業員の人数をモニタ上で確認することができず、非常呼びのあったエレベータに作業員を急行させることが困難である。
【０００８】
もちろん、このような問題はエレベータの保守点検に限られたことではなく、作業員を遠隔監視するあらゆる目的において共通するものである。
【０００９】
そこで、本発明の目的は、作業員の人数を容易に認識することが可能になる遠隔監視システムおよび遠隔監視装置を提供することにある。
【課題を解決するための手段】
【００１０】
すなわち、本発明に係わる遠隔監視装置は、監視対象の設置箇所を特定する情報を受信し、この受信した情報のうち同一の設置箇所を特定する情報の送信元の携帯通信端末装置の個数を判別し、受信済みの設置箇所を特定する情報および判別済みの個数の情報を地図情報とあわせて表示手段に表示させることを特徴とする。
【００１１】
また、本発明に係わる遠隔監視装置は、監視対象の設置箇所で検出された現在位置情報を受信し、監視対象の設置箇所の位置を特定する情報を記憶する位置情報記憶手段を備え、これに記憶される情報で示される監視対象の位置から予め定められた範囲内における受信済みの現在位置情報の送信元の携帯通信端末装置の個数を判別し、監視対象の位置の情報および定められた範囲内における判別済みの個数の情報を地図情報とあわせて表示手段に表示させることを特徴とする。
【発明の効果】
【００１２】
本発明によれば、作業員の人数を容易に認識することができる。なお、以下に説明する各実施形態においては、本発明をエレベータの遠隔監視に適用した場合を例示している。しかしながら本発明はエスカレータなどの昇降機全般、あるいは昇降機以外の機器の遠隔監視にも適用できるものである。
【発明を実施するための最良の形態】
【００１３】
以下図面により本発明の実施形態について説明する。  
（第１の実施形態）
まず、本発明の第１の実施形態について説明する。  
図１は、本発明の第１の実施形態にしたがった保守点検対象のエレベータの一例を示す図である。  
図１に示すように、保守点検対象のエレベータが複数台設置される建物１には１号機エレベータ昇降路２ａ、２号機エレベータ昇降路２ｂおよび３号機エレベータ昇降路２ｃが設けられる。１号機エレベータ昇降路２ａでは１号機エレベータ乗りかご３ａが昇降する。２号機エレベータ昇降路２ｂでは２号機エレベータ乗りかご３ｂが昇降する。また、３号機エレベータ昇降路２ｃでは３号機エレベータ乗りかご３ｃが昇降する。
【００１４】
図２は、本発明の第１の実施形態にしたがったエレベータ監視システムの構成例を示す図である。図３は、本発明の第１の実施形態にしたがった保守点検対象のエレベータの乗りかごに貼付される二次元コードシール３３に印刷される二次元コードの具体例を示す図である。
【００１５】
図２に示すように、１号機エレベータ乗りかご３ａ（図１参照）の内部のかごドア３１の近傍にはかご内操作盤３２が設けられる。かご内操作盤３２の例えば下部には二次元コードシール３３が貼付される。二次元コードシール３３には二次元コードが印刷される。
【００１６】
図３に概略的に示すように、二次元コードはマトリックス状に形成され、“０”および“１”のいずれかに数値化した情報のそれぞれの数値が二次元コードの各ドットの濃淡（白または黒）に対応付けられたものである。二次元コードは縦方向および横方向の情報を有するので、例えば商品管理などに用いられる線状バーコード（一次元コード）と比較して記録できる情報量が格段に多い。このような二次元コードとしては例えばＱＲコード（登録商標）などが広く知られている。
【００１７】
二次元コードシール３３に印刷された二次元コードには印刷対象の二次元コードシール３３の貼付箇所に対応したエレベータが設置される建物の住所およびエレベータ号機の情報が含まれる。また、二次元コード化されたこれらの情報が文字情報など視覚的に認識できる状態で二次元コードに隣接して印刷されていてもよい。
【００１８】
二次元コードシール３３は乗りかご３ｂや乗りかご３ｃ内にも貼付される。具体的には乗りかご３ｂ内に貼付された二次元コードシール３３に印刷された二次元コードでは乗りかご３ｂが属するエレベータの設置箇所に対応する建物の住所および当該エレベータのエレベータ号機の情報が示される。
【００１９】
また、乗りかご３ｃ内に貼付された二次元コードシール３３に印刷された二次元コードでは乗りかご３ｃが属するエレベータの設置箇所に対応する建物の住所および当該エレベータのエレベータ号機の情報が示される。
【００２０】
携帯電話４はエレベータの点検作業員が所持し、かつ保守点検作業時に携行する携帯通信端末装置であり、二次元コードシール３３を画像情報として入力する機能を有する。センタ装置５はエレベータ監視センタに設けられる監視装置である。携帯電話４は二次元コードシール３３に印刷された二次元コードで示される情報を復号し、この復号した情報を無線によりセンタ装置５に送信する。
【００２１】
二次元コードシール３３の貼付箇所は、この二次元コードシール３３に印刷される二次元コードで示されるエレベータ号機と対応し、携帯電話４が入力することのできる箇所であれば乗りかご内に限らず例えば機械室内の機器であってもよい。センタ装置５は携帯電話４から前述のように送信された情報を地図情報とあわせてモニタ表示する。
【００２２】
図４は、本発明の第１の実施形態にしたがったエレベータ監視システムにおける携帯電話４の内部回路の構成例を示すブロック図である。なお、携帯電話４の音声通話に関する回路の構成については説明を省略する。
【００２３】
図４に示すように、点検作業員が携行する携帯電話４は制御部４１、記憶部４２、通信インタフェース４３、アンテナ４４、入力部４５、表示部４６および撮影装置４７を備える。制御部４１は記憶部４２、入力部４５、表示部４６および撮影装置４７と接続される。また、制御部４１は通信インタフェース４３を介してアンテナ４４と接続される。
【００２４】
制御部４１は携帯電話４の全体の制御を司る。記憶部４２は制御部４１による制御用のプログラムを記憶する。また、記憶部４２は携帯電話４に固有に対応付けられる識別番号、例えば製造番号などからなる端末ナンバを記憶する。通信インタフェース４３はセンタ装置５との無線通信を行なう。
【００２５】
撮影装置４７は撮像光学系を二次元コードシール３３に向け、かつ入力部４５に対する予め定められた操作がなされた場合に当該二次元コードシール３３に印刷された二次元コードを入力し、この入力によって得た画像を制御部４１に出力する。  
制御部４１はこの出力された画像に対する復号処理を行ない、この復号した情報を通信インタフェース４３を介してセンタ装置５に送信する。
【００２６】
図５は、本発明の第１の実施形態にしたがったエレベータ監視システムにおけるセンタ装置５の内部回路の構成例を示すブロック図である。  
図５に示すように、センタ装置５は制御部５１、記憶部５２、通信インタフェース５３、アンテナ５４、入力部５５および表示部５６を備える。制御部５１は記憶部５２、入力部５５および表示部５６と接続される。また、制御部５１は通信インタフェース５３を介してアンテナ５４と接続される。
【００２７】
制御部５１はセンタ装置５の全体の制御を司る。記憶部５２は制御部５１による制御用のプログラムを記憶する。また、記憶部５２は保守管理対象のエレベータの設置建物およびその周囲の地図情報を記憶する。通信インタフェース５３は携帯電話４との無線通信を行なう。
【００２８】
図６は、本発明の第１の実施形態にしたがったエレベータ監視システムにおけるセンタ装置５の記憶部５２に記憶される建物情報テーブルの一例を表形式で示す図である。  
センタ装置５の記憶部５２は前述した制御プログラムとは別に図６に示したような形式の建物情報テーブルをさらに記憶する。この建物情報テーブルでは保守管理対象の各エレベータの設置建物の住所の情報およびこの住所の緯度経度情報が対応付けられて管理される。それぞれの設置建物には単一または複数のエレベータが設置される。
【００２９】
図７は、本発明の第１の実施形態にしたがったエレベータ監視システムにおけるセンタ装置５の記憶部５２に記憶される個人情報テーブルの一例を表形式で示す図である。  
センタ装置５の記憶部５２は図７に示したような形式の個人情報テーブルをさらに記憶する。この個人情報テーブルでは携帯電話４の端末ナンバの情報、端末所持者氏名、この所持者の所属先、電話番号、最新作業箇所および作業ステータスが対応付けられて管理される。
【００３０】
この端末所持者氏名とは個人情報テーブル上で管理される端末ナンバと対応する携帯電話４の所持者である点検作業員の氏名である。所属先とは端末所持者の所属（営業所）および役職名の情報を含む。電話番号とは前述した端末ナンバと対応する携帯電話４の電話番号である。
【００３１】
前述した最新作業箇所は個人情報テーブル上で管理される端末所持者による最新の保守点検対象のエレベータの設置建物住所およびエレベータの号機を示す。最新の保守点検対象のエレベータ号機とは端末所持者が現在保守点検を行なっているエレベータ号機である。
【００３２】
作業ステータスとは個人情報テーブル上で対応付けられる号機のエレベータの保守点検作業の状況の種別を示す情報である。  
作業ステータスで示される保守点検作業の状況の種別は“作業中”および“作業外”の２種類である。“作業中”とは個人情報テーブル上で対応付けられる所持者氏名と対応する点検作業者が最新作業箇所の号機のエレベータにおいて保守点検作業中であることを示す。“作業外”とは個人情報テーブル上で対応付けられる所持者氏名と対応する点検作業者が保守点検作業を行なっていない（例えば作業前や作業後であること）ことを示す。
【００３３】
図８は、本発明の第１の実施形態にしたがったエレベータ監視システムにおけるセンタ装置５の記憶部５２に記憶される作業情報テーブルの一例を表形式で示す図である。  
センタ装置５の記憶部５２は図８に示したような形式の作業情報テーブルを建物ごとに独立してさらに記憶する。この作業情報テーブルではエレベータの設置建物住所、設置建物の名称、携帯電話４の端末ナンバ、端末所持者氏名、この所持者の所属、電話番号およびエレベータ号機の情報が対応付けられて管理される。
【００３４】
作業情報テーブルで管理される端末ナンバは、これと作業情報テーブル上で対応付けられる設置建物において点検作業を行なっている点検作業者が所持する携帯電話４の端末ナンバである。
【００３５】
また、作業情報テーブルで管理されるエレベータ号機は、これと作業情報テーブル上で対応付けられる設置建物において点検作業を行なっている点検作業者が位置するエレベータ号機である。
【００３６】
次に、本発明の第１の実施形態にしたがったエレベータ監視システムにおける携帯電話４による処理動作について説明する。図９は、本発明の第１の実施形態にしたがったエレベータ監視システムにおける携帯電話４による処理動作の一例を示すフローチャートである。
【００３７】
まず、点検作業員は自身が所持する携帯電話４を携行した上で保守点検対象のエレベータが設置される建物に向かう。ここでは保守点検対象のエレベータの乗りかごは建物１の１号機エレベータ昇降路２ａを昇降する１号機エレベータ乗りかご３ａ（図１参照）であるとする。
【００３８】
点検作業員がエレベータの保守点検作業を行なう前に携帯電話４の入力部４５に対して予め定めた手順で操作を行なうことで携帯電話４の動作モードを二次元コード読み取りモードに切り換える。
【００３９】
携帯電話４の動作モードが二次元コード読み取りモードである場合に点検作業員が携帯電話４の撮影装置４７の撮像光学系を乗りかご３ａ内の二次元コードシール３３に向け、入力部４５に対する予め定められた操作を行なうと、撮影装置４７は被写体である二次元コードの入力を行なう。
【００４０】
携帯電話４の制御部４１は撮影装置４７が入力した二次元コードのパターンを認識し（ステップＳ１）、このパターンにかかる復号処理を行なう（ステップＳ２）。  
制御部４１は、この復号処理を行なうことで二次元コードシール３３に印刷される二次元コードで示される乗りかご３ａが属するエレベータの設置建物の住所およびエレベータ号機の情報を取得する。制御部４１は、これら取得した情報を記憶部４２に記憶される携帯電話４の端末ナンバの情報とともに通信インタフェース４３を介してセンタ装置５に送信する（ステップＳ３）。
【００４１】
次に、本発明の第１の実施形態にしたがったエレベータ監視システムにおけるセンタ装置５による処理動作について説明する。図１０は、本発明の第１の実施形態にしたがったエレベータ監視システムにおけるセンタ装置５による処理動作の一例を示すフローチャートである。
【００４２】
センタ装置５では携帯電話４から送信された情報、つまり二次元コードシール３３の貼付箇所と対応するエレベータに関する情報および当該送信元の携帯電話４の端末ナンバの情報を通信インタフェース５３により受信する（ステップＡ１）。
【００４３】
制御部５１は通信インタフェース５３が受信した情報である端末ナンバの情報と記憶部５２に記憶される個人情報テーブル（図７参照）とを照合する（ステップＡ２）。  
そして、制御部５１は個人情報テーブルで管理される作業ステータスのうちステップＡ１の処理で得られた端末ナンバの情報と対応付けられる作業ステータスを検索する（ステップＡ３）。
【００４４】
制御部５１は前述のように検索した作業ステータスが“作業中”であるか否かを判別する（ステップＡ４）。  
この判別の結果、前述のように検索した作業ステータスが“作業中”でない場合（ステップＡ４のＮＯ）には、制御部５１は通信インタフェース５３が受信した情報の送信元の携帯電話４を所持する点検作業員が入力した二次元コード３３の貼付箇所に対応するエレベータ号機の保守点検作業を開始するとみなし、個人情報テーブルから前述のように検索した作業ステータスを“作業中”に書き換える（ステップＡ５）。
【００４５】
そして、制御部５１は記憶部５２に記憶される個人情報テーブルの最新作業箇所の情報を更新する（ステップＡ６）。具体的には制御部５１は記憶部５２に記憶される個人情報テーブルで管理される最新作業箇所の情報のうちステップＡ１の処理で得られた端末ナンバと対応付けられる建物住所とエレベータ号機の組合せの情報を検索する。制御部５１はこの検索した情報をステップＡ１の処理で得られた建物住所とエレベータ号機の組合せの情報に更新する。
【００４６】
また、制御部５１はステップＡ５の処理で書き換えられた作業ステータスと対応付けられる端末ナンバ、所持者氏名、所属、電話番号およびエレベータ号機の情報を個人情報テーブルから検索する。
【００４７】
制御部５１は記憶部５２に記憶される作業情報テーブルのうちステップＡ１の処理で得られた建物住所の情報が管理されるテーブルを検索する。制御部５１はこの検索したテーブルで管理される建物住所および建物名の情報に対し、前述したように個人情報テーブルから検索された端末ナンバ、所持者氏名、所属、電話番号およびエレベータ号機の情報を新たに関連付ける。
【００４８】
そして、制御部５１は前述したように各種情報を関連付けた作業情報テーブル上で管理される端末ナンバの個数を判別する（ステップＡ７）。この個数は作業情報テーブル上で管理される建物名に対応する建物内の単一または複数のエレベータ号機で保守点検作業を行なっている作業員の人数である。
【００４９】
制御部５１は前述したように各種情報を関連付けた作業情報テーブル上で管理される建物住所の情報と対応付けられる緯度経度の情報を記憶部５２に記憶される建物情報テーブルから検索する。
【００５０】
図１１は、本発明の第１の実施形態にしたがったエレベータ監視システムにおけるセンタ装置５の表示部５６に表示される表示画面の一例を示す図である。  
このように、制御部５１は建物情報テーブルから検索した緯度経度に該当する箇所およびその周辺の地図情報を記憶部５２から読み出し、これを表示部５６に表示させる。この地図上の建物情報テーブルから検索した緯度経度に該当する箇所にはステップＡ１の処理で得られた情報の送信元の建物で点検作業を行なっている作業員の人数を示す記号が表示される（ステップＡ８）。
【００５１】
具体的には、制御部５１はステップＡ７の処理により判別された作業人数が３人である場合には、図１１に示したような「３」を含んだ丸印６１を点検作業人数を示す記号として表示部５６に表示させる。
【００５２】
また、制御部５１は前述したように各種情報を関連付けた作業情報テーブルで管理される建物名の情報を読み出し、この建物名の情報を表示部５６に表示されている丸印に並べて表示させる。
【００５３】
また、表示部５６に表示された地図上にはその他の建物内の単一または複数のエレベータの作業人数を示す記号６２，６３，６４もあわせて表示される。これらの記号には前述した送信元の建物名を示す情報が並べて表示される。
【００５４】
この状態で、センタ装置５のオペレータが入力部５５を用いて表示部５６に表示される記号のいずれかを選択すると、制御部５１はこの選択された記号に対応する建物の設置箇所の緯度経度を認識する。
【００５５】
制御部５１はこの緯度経度の情報と対応付けられる建物住所を記憶部５２に記憶される建物情報テーブルから検索する。制御部５１は、この検索した建物住所の情報が管理される作業情報テーブルを記憶部５２から検索し、これを図８に示したような表形式で表示部５６に表示させる。これによりセンタ装置５のオペレータは地図上の各箇所のエレベータで点検作業を行なっている作業員の情報を容易に把握することができる。
【００５６】
そして、この表示されたテーブルで管理される電話番号を入力部５５を用いて選択すると、制御部５１は図示しない音声通話に関する回路を介してこの選択された電話番号に対応する携帯電話への通信処理を行なう。これによりセンタ装置５のオペレータは作業中の作業員に対して、音声あるいは文字により他のエレベータ設置建物への移動を要請することができる。
【００５７】
この後、作業員は前述したエレベータの保守点検作業を開始し、この作業が終了した後に前述した二次元コードシール３３に印刷された二次元コードを携帯電話４を用いて再び入力し、復号した情報および端末ナンバの情報をセンタ装置５に送信する。  
センタ装置５は携帯電話４からの情報で示される端末ナンバと対応付けられる作業ステータスを記憶部５２に記憶される個人情報テーブルから検索する。
【００５８】
そして、制御部５１はこの検索した作業ステータスが“作業中”であるか否かを判別する。この場合、作業ステータスは“作業中”である（ステップＡ４のＹＥＳ）ので、制御部５１は作業員が該当のエレベータの保守点検作業を終了するとみなし、前述のように検索した作業ステータスを“作業外”に書き換える（ステップＡ９）。
【００５９】
そして、制御部５１は記憶部５２に記憶される作業情報テーブルのうち携帯電話４からの情報で示される建物住所が管理されるテーブルを検索する。制御部５１はこの検索したテーブルで管理される情報のうち、携帯電話４から受信した端末ナンバ並びにこれと対応付けられる所持者氏名、所属、電話番号およびエレベータ号機の情報を当該テーブル上から削除する（ステップＡ１０）。
【００６０】
そして、制御部５１は前述したように各種情報を削除した作業情報テーブル上で管理される端末ナンバの個数を判別する（ステップＡ１１）。  
制御部５１は前述したように各種情報を削除した作業情報テーブル上で管理される建物住所の情報と対応付けられる緯度経度の情報を記憶部５２に記憶される建物情報テーブルから検索する。
【００６１】
制御部５１は建物情報テーブルから検索した緯度経度に該当する箇所およびその周辺の地図情報を記憶部５２から読み出し、これを表示部５６に表示させる。この地図上の建物情報テーブルから検索した緯度経度に該当する箇所にはステップＡ１の処理で得られた情報の送信元の建物で点検作業を行なっている作業員の人数を示す記号が表示される。（ステップＡ１２）。
【００６２】
以上説明したように、本発明の第１の実施形態においては保守点検対象のエレベータの作業員が携行する携帯電話４によって保守点検対象のエレベータの保守点検作業の開始前に当該エレベータの設置箇所に貼付される二次元コードシール３３に印刷される二次元コードが読み取られ、エレベータ設置建物住所およびエレベータ号機の情報がセンタ装置５へ送信される。センタ装置５では携帯電話４からの情報および個人情報テーブルをもとに、送信元の建物に設置されるエレベータの保守点検作業を行なっている作業員の人数を判別する。センタ装置５は、この判別結果を示す記号を携帯電話４が入力した二次元コードシール３３の貼付箇所に対応する箇所およびその周辺の地図における受信元の建物の設置箇所の緯度経度と対応する箇所に表示する。このため、センタ装置５のオペレータはそれぞれのエレベータ設置建物内で保守点検作業中の作業員の人数を容易に把握することができる。
【００６３】
また、センタ装置５は、表示箇所に対応するエレベータ設置場所で作業を行なっている点検作業員の個人情報をモニタ表示させることができる。センタ装置５のオペレータは、エレベータの突発的な故障などによりこのエレベータの設置建物に作業員を急行させる場合に、地理的に近い場所にいる複数の作業員のいずれかに対して連絡をとることで、エレベータ設置場所への移動を指示することができる。
【００６４】
（第２の実施形態）
次に、本発明の第２の実施形態について説明する。なお、本実施形態に係るエレベータの構成のうちは第１の実施形態で説明した部分と同一部分の説明は省略する。  
図１２は、本発明の第２の実施形態にしたがった遠隔監視システムの構成例を示す図である。  
この遠隔監視システムは図２に示した構成と異なり、二次元コードを必要としない。
【００６５】
携帯電話６はエレベータの作業員が保守点検作業時に携行する携帯通信端末装置であり、図示しないＧＰＳ通信衛星からの電波を受信する機能を有する。携帯電話６はこの受信した電波をもとに当該携帯電話６の現在位置を検出し、この位置の情報を無線によりセンタ装置５に送信する。
【００６６】
センタ装置５は携帯電話６から送信された情報をもとに、作業員の人数を示す情報を地図情報とあわせてモニタ表示する。  
図１３は、本発明の第２の実施形態にしたがったエレベータ監視システムにおける携帯電話６の内部回路の構成例を示すブロック図である。なお、携帯電話６の音声通話に関する回路の構成については説明を省略する。
【００６７】
図１３に示した携帯電話６は図４に示した携帯電話４と同様に制御部４１、記憶部４２、通信インタフェース４３、アンテナ４４、入力部４５、表示部４６を備える。また、携帯電話６は携帯電話４が備えた撮影装置４７の代わりにＧＰＳ受信部４８を備える。ＧＰＳ受信部４８はアンテナ４４および制御部４１と接続され、ＧＰＳ衛星から送られる電波をアンテナ４４を介して受信し、携帯電話６の現在位置を検出する。この現在位置は緯度および経度で表される。
【００６８】
制御部４１はこの現在位置の情報を通信インタフェース４３を介してセンタ装置５に送信する。  
本発明の第２の実施形態にしたがったエレベータ監視システムにおけるセンタ装置５の内部回路の構成は図５に示した構成と同様である。このセンタ装置５の通信インタフェース５３は携帯電話６との無線通信を行なう。  
センタ装置５の記憶部５２は第１の実施形態にしたがったセンタ装置５の記憶部５２と同様に図６に示したような形式の建物情報テーブルを記憶する。
【００６９】
図１４は、本発明の第２の実施形態にしたがったエレベータ監視システムにおけるセンタ装置５の記憶部５２に記憶される個人情報テーブルの一例を表形式で示す図である。  
センタ装置５の記憶部５２は図７に示した形式の個人情報テーブルの代わりに図１４で示した形式の個人情報テーブルをさらに記憶する。この個人情報テーブルの形式は図７に示した形式とほぼ同様であるが、最新作業箇所である建物住所とエレベータ号機の代わりに最新位置の情報が管理される。最新位置の情報は緯度および経度で表され、個人情報テーブル上で管理される端末ナンバに対応する携帯電話６から送信された最新の現在位置情報である。
【００７０】
図１５は、本発明の第２の実施形態にしたがったエレベータ監視システムにおけるセンタ装置５の記憶部５２に記憶される作業情報テーブルの一例を表形式で示す図である。  
センタ装置５の記憶部５２は図８に示した形式の作業情報テーブルの代わりに図１５で示した形式の作業情報テーブルを建物ごとに独立してさらに記憶する。この作業情報テーブルの形式は図８に示した形式とほぼ同様であるが、エレベータ号機の情報は管理されない。
【００７１】
次に、本発明の第２の実施形態にしたがったエレベータ監視システムにおける携帯電話６による処理動作について説明する。  
まず、作業員は自身が所持する携帯電話６を携行した上で保守点検対象のエレベータが設置される建物に向かう。ここでは保守点検対象のエレベータの乗りかごは建物１の１号機エレベータ昇降路２ａを昇降する１号機エレベータ乗りかご３ａ（図１参照）であるとする。
【００７２】
作業員がエレベータの保守点検作業を行なう前に携帯電話６の入力部４５に対して予め定めた手順で操作を行なうことで携帯電話６の動作モードを現在位置検出モードに切り換える。
【００７３】
携帯電話６の動作モードが現在位置検出モードである場合に入力部４５に対する予め定めた操作がなされると、ＧＰＳ受信部４８はＧＰＳ衛星からの電波をアンテナ４４を介して受信して携帯電話６の現在位置の緯度経度を検出し、この緯度経度の情報を制御部４１に出力する。
【００７４】
制御部４１はＧＰＳ受信部４８から入力した緯度経度の情報を記憶部４２に記憶される携帯電話６の端末ナンバの情報とともに通信インタフェース４３を介してセンタ装置５に送信する。
【００７５】
次に、本発明の第２の実施形態にしたがったエレベータ監視システムにおけるセンタ装置５による処理動作について説明する。図１６は、本発明の第２の実施形態にしたがったエレベータ監視システムにおけるセンタ装置５による処理動作の一例を示すフローチャートである。
【００７６】
センタ装置５では携帯電話６から送信された情報、つまり携帯電話６の現在位置である緯度経度の情報および当該携帯電話６の端末ナンバの情報を通信インタフェース５３により受信する（ステップＢ１）。
【００７７】
制御部５１は通信インタフェース５３が受信した情報である端末ナンバの情報と記憶部５２に記憶される個人情報テーブル（図１４参照）とを照合する（ステップＢ２）。  
そして、制御部５１は個人情報テーブルで管理される作業ステータスのうちステップＢ１の処理で得られた端末ナンバの情報と対応付けられる作業ステータスを検索する（ステップＢ３）。
【００７８】
制御部５１は前述のように検索した作業ステータスが“作業中”であるか否かを判別する（ステップＢ４）。  
この判別の結果、前述のように検索した作業ステータスが“作業中”でない場合（ステップＢ４のＮＯ）には、制御部５１は通信インタフェース５３が受信した情報の送信元の携帯電話６の所持者である作業員が近隣のエレベータ号機の保守点検作業を開始するとみなし、個人情報テーブルから前述のように検索した作業ステータスを“作業中”に書き換える（ステップＢ５）。
【００７９】
そして、制御部５１は記憶部５２に記憶される個人情報テーブルの最新位置の情報を更新する（ステップＢ６）。具体的には制御部５１は記憶部５２に記憶される個人情報テーブルで管理される最新位置の情報のうちステップＢ１の処理で得られた端末ナンバと対応付けられる緯度経度の情報を検索する。制御部５１はこの検索した情報をステップＢ１の処理で得られた緯度経度の情報に更新する。
【００８０】
そして、制御部５１は建物情報テーブルで管理される情報のうちステップＢ１の処理で得られた緯度経度に相当する位置から予め定められた範囲内（例えば数メートルから数十メートルの範囲）に含まれる緯度経度の情報を検索する。  
制御部５１はこの検索した緯度経度の情報と対応付けられる建物住所の情報を建物情報テーブルから検索する。
【００８１】
制御部５１はステップＢ５の処理で書き換えられた作業ステータスと関連付けられる端末ナンバ、所持者氏名、所属および電話番号の情報を記憶部５２に記憶される個人情報テーブルから検索する。
【００８２】
また、制御部５１は、記憶部５２に記憶される作業情報テーブルのうち、前述したように建物情報テーブルから検索された建物住所の情報が管理されるテーブルを検索する。制御部５１は、制御部５１はこの検索したテーブルで管理される建物住所および建物名の情報に対し、前述したように個人情報テーブルから検索された端末ナンバ、所持者氏名、所属および電話番号の情報を新たに関連付ける。
【００８３】
そして、制御部５１は前述したように各種情報を関連付けた作業情報テーブル上で管理される端末ナンバの個数を判別する（ステップＢ７）。  
制御部５１は前述したように各種情報を関連付けた作業情報テーブル上で管理される建物住所の情報と対応付けられる緯度経度の情報を記憶部５２に記憶される建物情報テーブルから検索する。
【００８４】
このように、制御部５１は建物情報テーブルから検索した緯度経度に該当する箇所およびその周辺の地図情報を記憶部５２から読み出し、これを表示部５６に表示させる（ステップＢ８）。この地図上の建物情報テーブルから検索した緯度経度に該当する箇所にはステップＢ１の処理で得られた情報の送信元の建物で点検作業を行なっている点検作業員の人数を示す記号が表示される。また、第１の実施形態にしたがったシステムと同様に、この人数を示す記号には前述した送信元の建物名を示す情報が並べて表示される。
【００８５】
この状態で、センタ装置５のオペレータが入力部５５を用いて表示部５６に表示される記号のいずれかを選択すると、制御部５１はこの選択された記号に対応する建物の設置箇所の緯度経度を認識する。
【００８６】
制御部５１はこの緯度経度の情報と対応付けられる建物住所を記憶部５２に記憶される建物情報テーブルから検索する。制御部５１は、この検索した建物住所の情報が管理される作業情報テーブルを記憶部５２から検索し、これを図１５に示したような表形式で表示部５６に表示させる。
【００８７】
この後、点検作業員は前述したエレベータの保守点検作業を開始し、この作業が終了した後で携帯電話６の動作モードが現在位置検出モードでない場合には入力部４５に対する予め定められた操作を行なって携帯電話６の動作モードを現在位置検出モードに切り換える。
【００８８】
携帯電話６の動作モードが現在位置検出モードである場合に入力部４５に対する予め定めた操作を行なうと、ＧＰＳ受信部４８はＧＰＳ衛星からの電波をアンテナ４４を介して受信して、携帯電話６の現在位置の緯度経度を検出し、この緯度経度の情報を制御部４１に出力する。
【００８９】
制御部４１は、ＧＰＳ受信部４８から入力した緯度経度の情報を記憶部４２に記憶される携帯電話６の端末ナンバの情報とともに通信インタフェース４３を介してセンタ装置５に送信する。
【００９０】
センタ装置５は携帯電話６からの情報で示される端末ナンバと対応付けられる作業ステータスを個人情報テーブルから検索する。  
そして、制御部５１はこの検索した作業ステータスが“作業中”であるか否かを判別する。この場合、作業ステータスは“作業中”である（ステップＢ４のＹＥＳ）ので、制御部５１は通信インタフェース５３が受信した情報の送信元の携帯電話６の所持者である点検作業員が近隣のエレベータ号機の保守点検作業を終了するとみなし、前述のように検索した作業ステータスを“作業外”に書き換える（ステップＢ９）。
【００９１】
そして、制御部５１は携帯電話６からの情報で示される緯度経度に相当する位置から予め定められた範囲内に含まれる緯度経度の情報を建物情報テーブルから検索する。
【００９２】
制御部５１はこの検索した緯度経度の情報と建物情報テーブルで対応付けられる建物住所の情報を検索する。
【００９３】
また、制御部５１は、記憶部５２に記憶される作業情報テーブルのうち、前述したように建物情報テーブルから検索された建物住所の情報が管理されるテーブルを検索する。  
制御部５１はこの検索したテーブルで管理される情報のうち、携帯電話６から受信した端末ナンバ、所持者氏名、所属および電話番号の情報を削除する（ステップＢ１０）。
【００９４】
そして、制御部５１は前述したように各種情報を削除した作業情報テーブル上で管理される端末ナンバの個数を判別する（ステップＢ１１）。  
そして、制御部５１は前述したステップＡ１２の処理と同様の処理を行なう（ステップＢ１２）。
【００９５】
以上説明したように、本発明の第２の実施形態においては保守点検対象のエレベータの作業員が携行する携帯電話６によってＧＰＳ衛星からの電波を受信して現在位置が判別され、この現在位置情報がセンタ装置５へ送信される。センタ装置５は携帯電話６からの情報および個人情報テーブルをもとに、送信元の建物に設置されるエレベータの保守点検作業に関わっている作業員の人数を判別する。センタ装置５は、この判別結果を示す記号を携帯電話６から送信された現在位置の緯度経度と対応する箇所を地図情報とともに表示する。このため、センタ装置５のオペレータはそれぞれのエレベータ設置建物内で保守点検作業中の点検作業員の人数を容易に把握することができる。
【００９６】
なお、この発明は、前記各実施形態そのままに限定されるものではなく、実施段階ではその要旨を逸脱しない範囲で構成要素を変形して具体化できる。また、前記各実施形態に開示されている複数の構成要素の適宜な組合せにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００９７】
【図１】本発明の第１の実施形態にしたがった保守点検対象のエレベータの一例を示す図。
【図２】本発明の第１の実施形態にしたがった遠隔監視システムの構成例を示す図。
【図３】本発明の第１の実施形態にしたがった保守点検対象のエレベータの乗りかごに貼付される二次元コードシールに印刷される二次元コードの具体例を示す図。
【図４】本発明の第１の実施形態にしたがった遠隔監視システムにおける携帯電話の内部回路の構成例を示すブロック図。
【図５】本発明の第１の実施形態にしたがった遠隔監視システムにおけるセンタ装置の内部回路の構成例を示すブロック図。
【図６】本発明の第１の実施形態にしたがった遠隔監視システムにおけるセンタ装置の記憶部に記憶される建物情報テーブルの一例を表形式で示す図。
【図７】本発明の第１の実施形態にしたがった遠隔監視システムにおけるセンタ装置の記憶部に記憶される個人情報テーブルの一例を表形式で示す図。
【図８】本発明の第１の実施形態にしたがった遠隔監視システムにおけるセンタ装置の記憶部に記憶される作業情報テーブルの一例を表形式で示す図。
【図９】本発明の第１の実施形態にしたがった遠隔監視システムにおける携帯電話による処理動作の一例を示すフローチャート。
【図１０】本発明の第１の実施形態にしたがった遠隔監視システムにおけるセンタ装置による処理動作の一例を示すフローチャート。
【図１１】本発明の第１の実施形態にしたがった遠隔監視システムにおけるセンタ装置の表示部に表示される表示画面の一例を示す図。
【図１２】本発明の第２の実施形態にしたがった遠隔監視システムの構成例を示す図。
【図１３】本発明の第２の実施形態にしたがった遠隔監視システムにおける携帯電話の内部回路の構成例を示すブロック図。
【図１４】本発明の第２の実施形態にしたがった遠隔監視システムにおけるセンタ装置の記憶部に記憶される個人情報テーブルの一例を表形式で示す図。
【図１５】本発明の第２の実施形態にしたがった遠隔監視システムにおけるセンタ装置の記憶部に記憶される作業情報テーブルの一例を表形式で示す図。
【図１６】本発明の第２の実施形態にしたがった遠隔監視システムにおけるセンタ装置による処理動作の一例を示すフローチャート。
【符号の説明】
【００９８】
１…エレベータ設置ビル、２ａ…１号機エレベータ昇降路、２ｂ…２号機エレベータ昇降路、２ｃ…３号機エレベータ昇降路、３ａ…１号機エレベータ乗りかご、３ｂ…２号機エレベータ乗りかご、３ｃ…３号機エレベータ乗りかご、３１…かごドア、３２…かご内操作盤、４，６…携帯電話（携帯通信端末）、５…センタ装置、４１，５１…制御部、４２，５２…記憶部、４３，５３…通信インタフェース、４４，５４…アンテナ、４５，５５…入力部、４６，５６…表示部、４７…撮影装置、４８…ＧＰＳ受信部。
【図１】
2007137563.tif 000003
【図２】
2007137563.tif 000004
【図３】
2007137563.tif 000005
【図４】
2007137563.tif 000006
【図５】
2007137563.tif 000007
【図６】
2007137563.tif 000008
【図７】
2007137563.tif 000009
【図８】
2007137563.tif 000010
【図９】
2007137563.tif 000011
【図１０】
2007137563.tif 000012
【図１１】
2007137563.tif 000013
【図１２】
2007137563.tif 000014
【図１３】
2007137563.tif 000015
【図１４】
2007137563.tif 000016
【図１５】
2007137563.tif 000017
【図１６】
2007137563.tif 000018